(57)【要約】【課題】内視鏡の先端面に付着した体液、水、薬液等の液体を確実に外部に排出させることができる内視鏡用アダプタを提供する。【解決手段】  内視鏡用アダプタ１は、内視鏡Ｅの先端部Ｅａの外周面に着脱可能に装着される装着部２と、該装着部２の先端２ａから内視鏡Ｅの前方に向けて突出する突出部とを備える筒体からなる。装着部２は、突出部３の内周面３ａと内視鏡Ｅの先端面Ｅａとで形成される内部空間Ｓに開口し、基端２ｂへ向けて内周面２ｃに凹設された少なくとも一つの排液溝４と、各該排液溝４に連結され、装着部２を厚さ方向に貫通して外周面２ｄに連通する少なくとも一つの排液孔５とを備え、排液溝４及び排液孔５は、内視鏡Ｅの先端面Ｅａに付着した体液、水、薬液等の液体が毛管現象により外部に排出されるように形成されている。【選択図】  図１
2008272168.tif 000002
【特許請求の範囲】
【請求項１】
内視鏡の先端部の外周面に着脱可能に装着される装着部と、該装着部の先端から前記内視鏡の前方に向けて突出する突出部とを備える筒状の内視鏡用アダプタであって、
前記装着部は、前記突出部の内周面と前記内視鏡の先端面とで形成される内部空間に開口し、基端へ向けて内周面に凹設された少なくとも一つの排液溝と、各該排液溝に連結され、前記装着部を厚さ方向に貫通して外周面に連通する少なくとも一つの排液孔とを備え、
前記排液溝及び前記排液孔は、前記内視鏡の先端面に付着した体液、水、薬液等の液体が毛管現象により外部に排出されるように形成されていることを特徴とする内視鏡用アダプタ。
【請求項２】
前記排液溝は、０．３〜１．３ｍｍの範囲の幅と、０．５〜１．５ｍｍの範囲の深さとを備え、
前記排液孔は、０．３〜１．３ｍｍの範囲の直径を備えることを特徴とする請求項１記載の内視鏡用アダプタ。
【請求項３】
前記装着部は、等間隔に配置された複数の前記排液溝を備えることを特徴とする請求項１又は請求項２記載の内視鏡用アダプタ。
【発明の詳細な説明】
【技術分野】
【０００１】
本発明は、内視鏡の先端部に着脱可能に装着される内視鏡用アダプタに関するものである。
【背景技術】
【０００２】
近年、消化器官等の手術や検査等に内視鏡が使用されている。図３示のように、内視鏡Ｅは、先端部Ｅａの外周面に、硬質樹脂製の内視鏡用アダプタ１１を介して、軟質樹脂製のフード１２を着脱可能に装着し、先端面Ｅｂに設けられた対物レンズ等が被処置部に直接接触することが防止されるようになっている。
【０００３】
ところで、被処置部から流れ出た体液（血液、リンパ液、組織液）、該体液を洗い流すために被処置部に供給した水、薬液等の液体が内視鏡Ｅの先端面Ｅｂの対物レンズに付着し、内視鏡Ｅの視界が悪くなり処置の妨げとなることがある。そこで、外壁面を厚さ方向に貫通する排液孔１３又は先端部１２ａに切り欠き部１４を備え、この液体を該排液孔１３又は該切り欠き部１４から外部に排出させるフード１２が知られている（例えば、特許文献１参照）。
【０００４】
しかし、このような排液孔１３又は切り欠き部１４を備えたフード１２が装着された内視鏡Ｅであっても、排液孔１３の基端１３ａと内視鏡Ｅの先端面Ｅｂとで形成される内部空間Ｓａや、切り欠き部１４の基端１４ａと先端面Ｅｂとで形成される内部空間Ｓｂに液体が残ってしまい、対物レンズに付着した液体を完全に外部に排出させることはできなかった。
【特許文献１】特開昭５９−９３４１３号公報
【発明の開示】
【発明が解決しようとする課題】
【０００５】
本発明は、かかる事情に鑑み、内視鏡の先端面に付着した体液、水、薬液等の液体を確実に外部に排出させることができる内視鏡用アダプタを提供することを目的とする。
【課題を解決するための手段】
【０００６】
かかる目的を達成するために、本発明は、内視鏡の先端部の外周面に着脱可能に装着される装着部と、該装着部の先端から前記内視鏡の前方に向けて突出する突出部とを備える筒状の内視鏡用アダプタであって、前記装着部は、前記突出部の内周面と前記内視鏡の先端面とで形成される内部空間に開口し、基端へ向けて内周面に凹設された少なくとも一つの排液溝と、各該排液溝に連結され、前記装着部を厚さ方向に貫通して外周面に連通する少なくとも一つの排液孔とを備え、前記排液溝及び前記排液孔は、前記内視鏡の先端面に付着した体液、水、薬液等の液体が毛管現象により外部に排出されるように形成されていることを特徴とする。
【０００７】
本発明によれば、前記排液溝が、前記突出部の内周面と前記内視鏡の先端面とで形成される内部空間に開口し、前記装着部の基端へ向けて前記装着部の内周面に凹設されているとともに、前記装着部の外周面に連通する前記排液孔に連結されているので、前記内視鏡の先端面に付着した体液、水、薬液等の液体を毛管現象により確実に外部に排出することができる。従って、内視鏡の視界が良好となり、処置を円滑に行うことができる。
【０００８】
本発明においては、前記排液溝は、０．３〜１．３ｍｍの範囲の幅と、０．５〜１．５ｍｍの範囲の深さとを備え、前記排液孔は、０．３〜１．３ｍｍの範囲の直径を備えることが望ましい。前記排液溝及び前記排液孔をこのような範囲の寸法とすることにより、体液、水、薬液等の量、種類等によって前記液体の粘度が変わっても、該液体の粘度に関係なく該液体を毛管現象により確実に外部に排出させることができる。
【０００９】
前記排液溝の幅と前記排液溝の深さと前記排水孔の直径とのいずれかが前記範囲を下回る場合には、前記液体が毛管現象により外部に排出されるものの、排出量が少ないために排出が不十分となることがある。また、前記排液溝の幅と前記排液溝の深さと前記排水孔の直径とのいずれかが前記範囲を上回る場合には、毛管現象が不十分となり、前記液体が外部に排出されないことがある。
【００１０】
また、本発明においては、前記装着部は、等間隔に配置された複数の前記排液溝を備えることが望ましい。前記排液溝を複数備えるので、前記液体が多量に発生した場合でも円滑に排出を行うことができる上に、前記排液溝が等間隔に配置されているので、内視鏡における全視野を良好にさせることができる。
【発明を実施するための最良の形態】
【００１１】
次に、添付の図面を参照しながら本発明の実施形態についてさらに詳しく説明する。図1は本実施形態の内視鏡用アダプタを示す説明図であり、図１（ａ）は側面図であり、図１（ｂ）は正面図である。図２は、本実施形態の内視鏡用アダプタのバリエーションを示す説明図である。
【００１２】
図１示の内視鏡用アダプタ１は、内視鏡Ｅの先端部Ｅａの外周面に着脱可能に装着される小内径の装着部２と、装着部２の先端２ａから内視鏡Ｅの前方に向けて突出する大内径の突出部３とを備え、例えばシリコーンゴムのような軟質樹脂製の筒体からなる。内視鏡用アダプタ１は、使用目的に応じて内視鏡Ｅの先端部Ｅａから１〜４ｍｍ突出させて装着される。内視鏡用アダプタ１は、先端側１ａにさらにフード（図示せず）を備えるものであってもよい。
【００１３】
装着部２は、突出部３の内周面３ａと内視鏡Ｅの先端面Ｅａとで形成される内部空間Ｓに開口し、基端２ｂへ向けて内周面２ｃに凹設された排液溝４を４つ備える。具体的には、排液溝４は、小内径の装着部２と大内径の突出部３との間の壁面である装着部２の先端２ａに開口し、周方向に等間隔に配置されている。各排液溝４は、０．３〜１．３ｍｍの範囲の幅Ｗと、０．５〜１．５ｍｍの範囲の深さＨとすることができ、本実施形態では、幅Ｗが０．８ｍｍ、深さＨが０．８ｍｍとなっている。本実施形態では、各排液溝４は同一の寸法を備えているが、上記範囲内であれば互いに異なる寸法であってもよい。
【００１４】
また、装着部２は、各排液溝４の途中に連結され、該装着部２を厚さ方向に貫通して外周面２ｄに連通する少なくとも一つの排液孔５とを備える。各排液孔５は、０．３〜１．３ｍｍの範囲の直径Ｄとすることができ、本実施形態では直径Ｄが０．８ｍｍとなっている。
【００１５】
排液溝４は、内視鏡Ｅの先端面Ｅａに付着した体液、水、薬液等の液体が、毛管現象により開口から基端２ｂ側へ流れていき、排液孔５から排出されるように形成されている。
【００１６】
次に、本実施形態の内視鏡用アダプタ１の使用状態について説明する。内視鏡用アダプタ１は、内視鏡的粘膜切除術においては、該切除術で使用されるナイフと被処置部の粘膜との空間を確保するために用いられる。内視鏡的検査及び観察においては、内視鏡Ｅの先端面Ｅｂに設けられた対物レンズ（図示せず）と被処置部の粘膜とが近接又は密着して該対物レンズの焦点が定まらなくなることにより該対物レンズの出力画面が真っ赤になって視界不良となる現象を防止するために用いられる。狭帯域光観察においては、前記対物レンズと粘膜表層の毛細血管及び粘膜との距離を確保するために用いられる。
【００１７】
上記の処置の際、被処置部から流れ出た血液を洗い流すために被処置部に供給した水や体液（血液、リンパ液、組織液）、薬液等の液体が、内視鏡Ｅの先端面Ｅａに付着する。本実施形態の内視鏡用アダプタ１は、排液溝４が、突出部３の内周面３ａと内視鏡Ｅの先端面Ｅａとで形成される内部空間Ｓに開口し、装着部２の基端２ｂへ向けて装着部２の内周面２ｃに凹設されているとともに、装着部２の外周面２ｄに連通する排液孔５に連結されているので、内視鏡Ｅの先端面Ｅａに付着した体液、水、薬液等の液体を毛管現象により確実に外部に排出することができる。従って、内視鏡Ｅの視界が良好となり、処置を円滑に行うことができる。
【００１８】
また、本願発明者らは、排液溝４の幅Ｗ、深さＨ、及び排液孔５の直径Ｄについて様々な寸法で試した結果、上記範囲の寸法が前記液体の毛管現象による排出に適していることを知見した。排液溝４及び排液孔５を上記範囲の寸法とすることにより、体液、水、薬液等の量及び種類により前記液体の粘度が変わっても、該液体を毛管現象により確実に外部に排出させることができる。
【００１９】
また、排液溝４の数は１つ以上であればいくつでもよいが、本実施形態では、排液溝４を４つ備えるので、前記液体が多量に発生した場合でも円滑に排出を行うことができる。また、各排液溝４が等間隔に配置されているので、内視鏡Ｅにおける全視野を良好にさせることができる。
【００２０】
また、排液溝４は、例えば、装着部２の内周面２ｃを先端２ａから基端２ｂへ向けて軸方向に切削することにより形成可能であるので、製造容易である。また、内視鏡用アダプタ１を金型により形成する場合も、型の構成を簡易なものとすることができる。排液溝４は、本実施形態では、装着部２の内周面２ｃを先端２ａから基端２ｂまで軸方向全体に亘って凹設されたものとなっているが、先端２ａから排液孔５まで凹設されたものであってもよい。
【００２１】
また、本実施形態では、小内径の装着部２と大内径の突出部３とを備える筒体としたが、図２示のように、装着部２から突出部３に向けて拡径する拡径部６を備える筒体とし、突出部３の内周面３ａと拡径部６の内周面６ａと内視鏡Ｅの先端面Ｅａとで形成される内部空間Ｓに排液溝４を開口させるようにしてもよい。このような筒体であっても、内視鏡Ｅの先端面Ｅａに付着した前記液体を、拡径部６の内周面６ａを介して排液溝４及び排液孔５により外部に排出させることができる。
【００２２】
また、図示しないが、装着部と突出部とが同径の筒体であってもよい。また、このとき、排液溝は、突出部の内周面と内視鏡の先端面とで形成される内部空間に開口し、突出部の先端から装着部の基端まで、即ち筒体の全長に亘って連続して内周面に凹設されるように形成してもよい。
【図面の簡単な説明】
【００２３】
【図１】本実施形態の内視鏡用アダプタを示す説明図。
【図２】本実施形態の内視鏡用アダプタのバリエーションを示す説明図。
【図３】従来技術の内視鏡用アダプタ及びフードを示す説明図。
【符号の説明】
【００２４】
１…内視鏡用アダプタ、  ２…装着部、  ２ａ…装着部の先端、  ２ｂ…装着部の基端、  ２ｃ…装着部の内周面、  ２ｄ…装着部の外周面、  ３…突出部、  ３ａ…突出部の内周面、  ４…排液溝、  ５…排液孔、  Ｅ…内視鏡、  Ｅａ…内視鏡の内周面、  Ｓ…内部空間。
【図１】
2008272168.tif 000003
【図２】
2008272168.tif 000004
【図３】
2008272168.tif 000005